(57)【特許請求の範囲】
【請求項１】
通信ネットワークを介して接続されたクライアントコンピュータから入力された宛名を該クライアントコンピュータに接続されたプリンタを用いて所定用紙に印刷する際の管理を行なう宛名印刷管理装置であって、
前記クライアントコンピュータから所定の要請がなされたとき、宛名の入力と該入力した宛名のレイアウト表示と該表示されたレイアウトによる宛名の前記プリンタを用いての印刷とが可能な宛名印刷用プログラムを該クライアントコンピュータで起動させる宛名印刷用プログラム起動手段と、
前記宛名印刷用プログラムが前記宛名のレイアウト表示に用いる前記所定用紙の画像及び文字フォントの少なくとも一方を記憶する記憶手段と、
前記クライアントコンピュータから前記宛名印刷用プログラムを介して前記宛名のレイアウト表示に用いる前記所定用紙の画像及び文字フォントの少なくとも一方の配信要求がなされたとき、前記記憶手段に記憶している前記配信要求に係る画像及び文字フォントの少なくとも一方を該クライアントコンピュータに配信するレイアウト表示管理手段と、
を備え、
前記宛名印刷用プログラムは、起動の際に前記クライアントコンピュータに接続されたプリンタのドライバを調査してドライバが適合しないときには起動を中止するプログラムである、
宛名印刷管理装置。
【請求項２】
コンピュータを、請求項１に記載の宛名印刷管理装置として機能させるプログラム。
【発明の詳細な説明】
【０００１】
【発明の属する技術分野】
本発明は、宛名印刷管理装置およびこれに用いるプログラムに関し、詳しくは、通信ネットワークを介して接続されたクライアントコンピュータから入力された宛名を該クライアントコンピュータに接続されたプリンタを用いて所定用紙に印刷する際の管理を行なう宛名印刷管理装置およびこれに用いるプログラムに関する。
【０００２】
【従来の技術】
従来、この種の宛名印刷装置としては、コンピュータにアプリケーションソフトとしての宛名印刷用のプログラムをインストールしてなるものが提案されている。この装置では、予め記憶している文字フォントと予めレイアウト設定された葉書などのレイアウト用画像とを用いて宛名のレイアウトを表示し、表示したレイアウトを用いてセットされた葉書などに宛名を印刷する。
【０００３】
【発明が解決しようとする課題】
しかしながら、こうした宛名印刷装置では、レイアウト表示に用いられた葉書のレイアウトと実際の葉書とが異なるため、宛名印刷したときに予想していた印刷と異なる印象を抱く場合があった。レイアウト表示に用いられる葉書のレイアウトは予め準備したものであるから、毎年のようにデザインが変更される「さくらめーる」や「はあとめーる」，「かもめーる」，「年賀はがき」，広告によりレイアウトが変更される「エコーはがき」などに対応することはできない。また、文字フォントも装置が予め準備しているものに限られるから、所望のフォントを用いることもできなかった。
【０００４】
本発明の宛名印刷管理装置は、宛名印刷の際のレイアウト表示と実際に印刷された印刷物との間に生じ得る異なる印象を小さくすることを目的の一つとする。また、本発明の宛名印刷管理装置は、所望の文字フォントを用いて印刷できるようにすることを目的の一つとする。本発明の宛名印刷管理装置用のプログラムは、コンピュータを宛名印刷の際のレイアウト表示と実際に印刷された印刷物との間に生じ得る異なる印象を小さくすると共に所望の文字フォントを用いて印刷できるようにする宛名印刷管理装置として機能させることを目的の一つとする。
【０００５】
【課題を解決するための手段およびその作用・効果】
本発明の宛名印刷管理装置およびこれに用いるプログラムは、上述の目的の少なくとも一部を達成するために以下の手段を採った。
【０００６】
本発明の宛名印刷管理装置は、
通信ネットワークを介して接続されたクライアントコンピュータから入力された宛名を該クライアントコンピュータに接続されたプリンタを用いて所定用紙に印刷する際の管理を行なう宛名印刷管理装置であって、
前記クライアントコンピュータから所定の要請がなされたとき、宛名の入力と該入力した宛名のレイアウト表示と該表示されたレイアウトによる宛名の前記プリンタを用いての印刷とが可能な宛名印刷用プログラムを該クライアントコンピュータで起動させる宛名印刷用プログラム起動手段と、
該クライアントコンピュータで起動した宛名印刷用プログラムにおける少なくとも前記宛名のレイアウト表示を管理するレイアウト表示管理手段と、
を備えることを要旨とする。
【０００７】
この本発明の宛名印刷管理装置では、通信ネットワークを介してクライアントコンピュータから所定の要請がなされたときに、宛名の入力と入力した宛名のレイアウト表示と表示されたレイアウトによる宛名のプリンタを用いての印刷とが可能な宛名印刷用プログラムをクライアントコンピュータで起動させると共にこの起動した宛名印刷用プログラムにおける少なくとも宛名のレイアウト表示を管理するから、予めレイアウト表示が設定されたアプリケーションソフトとしての宛名印刷用のプログラムをインストールした装置におけるレイアウト表示に比して、レイアウト表示を宛名印刷用プログラムを起動する毎に変更するなどの対応を行なうことができる。この結果、宛名印刷の際のレイアウト表示と実際に印刷された印刷物との間に生じ得る印象の相違などに対応することができる。ここで、「所定用紙」には葉書や封筒などが含まれ、「通信ネットワーク」にはインターネットなどが含まれる。
【０００８】
こうした本発明の宛名印刷管理装置において、前記宛名印刷用プログラム起動手段は、前記クライアントコンピュータに前記宛名印刷用プログラムが記憶されているときには該記憶された宛名印刷用プログラムを起動し、前記クライアントコンピュータに前記宛名印刷用プログラムが記憶されていないときには前記宛名印刷用プログラムを該クライアントコンピュータに向けてダウンロードすると共に該ダウンロードした宛名印刷用プログラムを起動する手段であるものとすることもできる。こうすれば、クライアントコンピュータに宛名印刷用プログラムが記憶されているときには記憶している宛名印刷用プログラムを起動し、クライアントコンピュータに宛名印刷用プログラムが記憶されていないときにはクライアントコンピュータに宛名印刷用プログラムをダウンロードして起動することができる。
【０００９】
また、本発明の宛名印刷管理装置において、前記宛名印刷用プログラムは、起動の際に前記クライアントコンピュータに接続されたプリンタのドライバを調査してドライバが適合しないときには起動を中止するプログラムであるものとすることもできる。こうすれば、宛名印刷ができる状態を確認して宛名印刷用プログラムを起動することができる。
【００１０】
本発明の宛名印刷管理装置において、前記所定用紙の画像を複数記憶する用紙画像記憶手段を備え、前記レイアウト表示管理手段は、前記クライアントコンピュータから前記宛名印刷用プログラムを介して前記宛名のレイアウト表示に用いる前記所定用紙の画像の配信要求がなされたとき、前記用紙画像記憶手段に記憶している画像のうち配信要求に係る画像を該クライアントコンピュータに配信する手段であるものとすることもできる。こうすれば、所望の所定用紙の画像を用いて宛名のレイアウト表示ができる。また、用紙画像記憶手段に最新の所定用紙の画像を種々記憶させておけば、種々の最新の所定用紙の画像から選択して宛名のレイアウト表示を行なうことができる。この結果、宛名印刷の際のレイアウト表示と実際に印刷された印刷物との間に生じ得る印象の相違を少なくすることができる。
【００１１】
本発明の宛名印刷管理装置において、複数の文字フォントを記憶する文字フォント記憶手段を備え、前記レイアウト表示管理手段は、前記クライアントコンピュータから前記宛名印刷用プログラムを介して前記宛名のレイアウト表示に用いる文字フォントの配信要求がなされたとき、前記文字フォント記憶手段に記憶している文字フォントのうち配信要求に係る文字フォントを該クライアントコンピュータに配信する手段であるものとすることもできる。こうすれば、クライアントコンピュータに記憶されていない文字フォントであっても、文字フォント記憶手段に記憶された文字フォントであれば所望の文字フォントを用いて宛名のレイアウト表示や宛名印刷を行なうことができる。
【００１２】
本発明の宛名印刷管理装置において、前記レイアウト表示管理手段は、前記クライアントコンピュータから前記宛名印刷用プログラムを用いて入力された宛名のうち前記宛名のレイアウト表示に係る宛名を入力する宛名入力手段と、該入力した宛名を前記所定用紙の画像に組み込んでレイアウト用画像を作成するレイアウト用画像作成手段と、該作成したレイアウト用画像を前記宛名印刷用プログラムにおける前記宛名のレイアウト表示に用いる画像として前記クライアントコンピュータに配信するレイアウト用画像配信手段とを備えるものとすることもできる。こうすれば、所定用紙の画像に宛名を組み込んだレイアウト用画像を作成してクライアントコンピュータに配信するから、クライアントコンピュータで起動する宛名印刷用プログラムに所定用紙の画像に宛名を組み込む機能を持たせる必要がない。
【００１３】
このレイアウト表示管理手段が所定用紙の画像に宛名を組み込んだレイアウト用画像を作成してクライアントコンピュータに配信する態様の本発明の宛名印刷管理装置において、前記所定用紙の画像を複数記憶する用紙画像記憶手段を備え、前記レイアウト表示管理手段は前記クライアントコンピュータから前記宛名印刷用プログラムを介して前記宛名のレイアウト表示に用いる前記所定用紙の画像の選択指示を入力する画像選択指示入力手段を備え、前記レイアウト用画像作成手段は前記用紙画像記憶手段に記憶された画像のうち前記画像選択指示入力手段により入力された選択指示に対応する画像に前記入力した宛名を組み込んでレイアウト用画像を作成する手段であるものとすることもできる。こうすれば、所望の所定用紙の画像を用いて宛名のレイアウト表示ができる。また、用紙画像記憶手段に最新の所定用紙の画像を種々記憶させておけば、種々の最新の所定用紙の画像から選択指示して宛名のレイアウト表示を行なうことができる。この結果、宛名印刷の際のレイアウト表示と実際に印刷された印刷物との間に生じ得る印象の相違を少なくすることができる。
【００１４】
また、レイアウト表示管理手段が所定用紙の画像に宛名を組み込んだレイアウト用画像を作成してクライアントコンピュータに配信する態様の本発明の宛名印刷管理装置において、複数の文字フォントを記憶する文字フォント記憶手段を備え、前記レイアウト表示管理手段は前記クライアントコンピュータから前記宛名印刷用プログラムを介して前記宛名のレイアウト表示に用いる文字フォントの選択指示を入力する文字フォント選択指示入力手段を備え、前記レイアウト用画像作成手段は前記文字フォント記憶手段に記憶された文字フォントのうち前記文字フォント選択指示入力手段により入力された選択指示に対応する文字フォントを用いて前記入力した宛名を前記所定用紙の画像に組み込んでレイアウト用画像を作成する手段であるものとすることもできる。こうすれば、クライアントコンピュータに記憶されていない文字フォントであっても、文字フォント記憶手段に記憶された文字フォントであれば所望の文字フォントを用いて宛名のレイアウト表示や宛名印刷を行なうことができる。しかも、文字フォントをクライアントコンピュータにダウンロードする必要もない。
【００１５】
本発明の宛名印刷管理装置において、前記クライアントコンピュータから前記宛名印刷用プログラムを介して宛名の印刷指示を受け付けたとき、所定の課金処理を行なう課金処理手段を備えるものとすることもできる。こうすれば、宛名印刷に対する課金を課すことができる。
【００１６】
この課金処理を行なう態様の本発明の宛名印刷管理装置において、前記所定の課金処理を条件に前記宛名印刷用プログラムによる宛名の印刷に伴って前記所定用紙に切手印字の印刷を含む郵便書式の印刷を指示する郵便書式印刷指示手段を備えるものとすることもできる。こうすれば、所定用紙として所定形状の普通紙を用いることができる。
【００１７】
この郵便書式印刷指示手段を備える態様の本発明の宛名印刷管理装置において、前記課金処理手段は、前記所定の課金処理として前記切手印字に対する代金の精算を含む処理を行なう手段であるものとすることもできる。また、郵便書式印刷指示手段を備える態様の本発明の宛名印刷管理装置において、前記郵便書式の印刷は、偽造防止処理が施されてなる印刷であるものとすることもできる。さらに、郵便書式印刷指示手段を備える態様の本発明の宛名印刷管理装置において、前記郵便書式は郵便葉書の宛名面であるものとすることもできる。
【００１８】
本発明の宛名印刷管理装置用プログラムは、コンピュータを、上述のいずれかの態様の本発明の宛名印刷管理装置、即ち、基本的には、通信ネットワークを介して接続されたクライアントコンピュータから入力された宛名を該クライアントコンピュータに接続されたプリンタを用いて所定用紙に印刷する際の管理を行なう宛名印刷管理装置であって、前記クライアントコンピュータから所定の要請がなされたとき、宛名の入力と該入力した宛名のレイアウト表示と該表示されたレイアウトによる宛名の前記プリンタを用いての印刷とが可能な宛名印刷用プログラムを該クライアントコンピュータで起動させる宛名印刷用プログラム起動手段と、該クライアントコンピュータで起動した宛名印刷用プログラムにおける少なくとも前記宛名のレイアウト表示を管理するレイアウト表示管理手段と、を備える宛名印刷管理装置として機能させることを要旨とする。
【００１９】
この本発明の宛名印刷管理装置用プログラムでは、コンピュータを上述のいずれかの態様の本発明の宛名印刷管理装置として機能させるから、本発明の宛名印刷管理装置が奏する効果、例えば、所望の所定用紙を画像を用いて宛名のレイアウト表示ができる効果や所望の文字フォントを用いて宛名のレイアウト表示や宛名印刷を行なうことができる効果、即ち、宛名印刷の際のレイアウト表示と実際に印刷された印刷物との間に生じ得る印象の相違などに対応することができる効果などの効果を奏することができる。
【００２０】
【発明の実施の形態】
次に、本発明の実施の形態を実施例を用いて説明する。図１は、本発明の一実施例である宛名印刷管理サーバ２０を備える宛名印刷システム１０の構成の概略を示す構成図である。実施例の宛名印刷システム１０は、図示するように、ハガキ印刷サイトを提供する宛名印刷管理サーバ２０と、インターネット１２を介して宛名印刷管理サーバ２０にアクセス可能な複数のクライアントコンピュータ３０とにより構成されている。なお、図１には、複数のクライアントコンピュータ３０を代表して単一のクライアントコンピュータ３０のみを示した。
【００２１】
宛名印刷管理サーバ２０では、ハガキ印刷サイトを提供するウェブサーバとして機能するための宛名印刷管理プログラム２１が実行されており、ハガキ印刷サイトの提供に必要なデータとしてクライアントコンピュータ３０にダウンロードされて起動される宛名印刷用プログラム２２や切手印字を含む複数のハガキの画像としての郵便書式用画像２３、複数の文字フォント２４、ハガキ印刷サイトによるサービスを受けるユーザの氏名や住所などのユーザ管理情報２５などがデータベース化されて記憶されている。
【００２２】
クライアントコンピュータ３０には、ブラウザ３１やプリンタドライバ３２がインストールされており、ブラウザ３１を用いてインターネット１２を介して宛名印刷管理サーバ２０が提供するハガキ印刷サイトの各ページを表示することができると共にカラーインクジェットプリンタ３８を用いてハガキなどに宛名や画像を印刷できるようになっている。
【００２３】
次に、こうして構成された実施例の宛名印刷システム１０の動作、特に宛名印刷管理サーバ２０が提供するハガキ印刷サイトによる宛名印刷の動作について説明する。図２はハガキ印刷サイトとして機能する宛名印刷管理サーバ２０により実行される宛名印刷管理処理の一例を示すフローチャートであり、図３はハガキ印刷サイトによりハガキに宛名を印刷する際にクライアントコンピュータ３０により実行される宛名印刷処理の一例を示すフローチャートである。以下、図２の宛名印刷管理処理と図３の宛名印刷処理とを用いて説明する。
【００２４】
図２の宛名印刷管理処理は、クライアントコンピュータ３０から図４に例示するハガキ印刷サイトトップページ４０を用いて「宛名入力、宛名印刷」を選択したときに実行される。図４の例では、このハガキ印刷サイトでは、宛名入力や宛名印刷のほかにハガキの文面側の作成や印刷もできるようになっているが、この文面作成や文面印刷については本発明の中核をなさないからその説明は省略する。なお、ハガキ印刷サイトトップページ４０は、クライアントコンピュータ３０からこのサイトのＵＲＬが入力されることにより宛名印刷管理サーバ２０からクライアントコンピュータ３０に表示出力される。
【００２５】
宛名印刷管理処理が実行されると、宛名印刷管理サーバ２０は、まず、宛名印刷用プログラム２２をクライアントコンピュータ３０で起動する処理を行なう（ステップＳ１００）。この起動処理は、まず、クライアントコンピュータ３０に宛名印刷用プログラム２２が記憶されているか否かをチェックし（ステップＳ１０２）、クライアントコンピュータ３０に宛名印刷用プログラム２２が記憶されていないときには（ステップＳ１０４）、宛名印刷用プログラム２２をクライアントコンピュータ３０にダウンロードして起動し（ステップＳ１０６，Ｓ１０８）、宛名印刷用プログラム２２がクライアントコンピュータ３０に記憶されているときには、クライアントコンピュータ３０に記憶された宛名印刷用プログラム２２を起動する（ステップＳ１０８）ことにより行なわれる。こうした宛名印刷用プログラム２２のダウンロードと自動起動はＡｃｔｉｖｅＸ技術（マイクロソフト社の商標）により実現することができる。クライアントコンピュータ３０に宛名印刷用プログラム２２が記憶されているか否かをチェックしているときに宛名印刷管理サーバ２０からクライアントコンピュータ３０に向けて表示出力されるプログラムチェック画面４２の一例を図５に示し、宛名印刷用プログラム２２がクライアントコンピュータ３０にダウンロードされているときに宛名印刷管理サーバ２０からクライアントコンピュータ３０に表示出力されるプログラムダウンロード画面４４の一例を図６に示す。また、宛名印刷用プログラム２２がクライアントコンピュータ３０にダウンロードされたあとにおける宛名印刷システム１０の構成の一例を図７に示す。なお、実施例では、宛名印刷管理サーバ２０はクライアントコンピュータ３０にダウンロードした宛名印刷用プログラム２２を削除しないから、クライアントコンピュータ３０を操作して削除しない限りハガキ印刷サイトを終了してもクライアントコンピュータ３０に記憶されたままとなる。したがって、通常は、初めてハガキ印刷サイトトップページ４０から「宛名入力、宛名印刷」を入力したときにだけダウンロードされることになる。
【００２６】
こうして宛名印刷用プログラム２２をクライアントコンピュータ３０で起動する処理が行なわれると、クライアントコンピュータ３０では、図３に例示する宛名印刷処理の実行が開始される。クライアントコンピュータ３０では、起動した宛名印刷用プログラム２２は、まず、起動時チェック処理を行なう（ステップＳ２００）。この起動時チェック処理では、まず、クライアントコンピュータ３０にインストールされているプリンタドライバ３２をチェックしてハガキ印刷サイトにおけるハガキ印刷に用いるプリンタとしてクライアントコンピュータ３０に接続されたカラーインクジェットプリンタ３８が適しているか否かを判定する（ステップＳ２０２）。このプリンタドライバ３２のチェックをしているときにクライアントコンピュータ３０に出力されるドライバチェック画面４６の一例を図８に示す。プリンタドライバ３２によりカラーインクジェットプリンタ３８が適合すると判定されると（ステップＳ２０４）、図９に例示する宛名印刷画面５０を表示出力して（ステップＳ２０６）、宛名印刷画面４８を用いて宛名入力や宛名のレイアウト表示，郵便書式のダウンロード，文字フォントのウンロード，課金および印刷などの各処理（ステップＳ２１０〜Ｓ２２２）が実行できるようにする。
【００２７】
図９に例示する宛名印刷画面５０は、宛名入力部５２やレイアウト表示部５４、機能を選択する複数のボタン５６〜６８によって構成されている。宛名入力部５２は、カード型のデータベースとして構成されており、宛名データとして「名前」，「敬称」，「ふりがな」，「連名」，「郵便番号」，「住所１」，「住所２」，「会社名」，「部署名」，「役職」，「電話番号」，「Ｅ−ｍａｉｌ」が複数入力できるようになっている。したがって、図３におけるステップＳ２１０の宛名入力は、ユーザが宛名入力部５２に直接入力することにより行なわれる処理となる。レイアウト表示部５４は、入力された宛名のうち選択されたカードの宛名を選択入力された文字フォントを用いて選択入力された郵便書式としてのハガキ画像に組み合わせて表示する画像表示領域、即ち図３におけるステップＳ２１２の宛名のレイアウト表示を行なう領域である。文字フォントの選択入力や郵便書式としてのハガキ画像の選択入力については後述する。［カード表示］ボタン５６は、宛名入力部５２を表示して宛名データを入力または変更する処理を指示するボタンであり、［一覧表示］ボタン５８は、入力した宛名データを図示しない一覧表に表示しながら宛名データを入力または変更する処理を指示するボタンである。実施例では、［カード表示］ボタン５６と［一覧表示］ボタン５８は選択的に選択されるボタンとして構成した。［保存］ボタン６１は入力した宛名データをクライアントコンピュータ３０の図示しないハードディスク装置などの外部記憶装置にファイルとして保存する処理を指示するボタンであり、［印刷］ボタン６２はレイアウト表示部５４に表示されたレイアウトを用いて宛名をハガキに印刷する処理を指示するボタン、［フォント］ボタン６３は、印刷やレイアウトとして用いる文字フォントを選択する処理を指示するボタン、［ハガキ］ボタン６４は郵便書式としてのハガキ画像を選択する処理を指示するボタン、［差出人］ボタン６５は差出人の氏名や住所などを入力する処理を指示するボタン。［ヘルプ］ボタン６６は宛名印刷画面５０の使用説明などを表示するためのボタン、［終了］ボタン６８は宛名印刷画面５０を終了するだけでなくクライアントコンピュータ３０に対する宛名印刷管理サーバ２０における宛名印刷管理処理をも終了するよう指示するボタンである。
【００２８】
一方、ステップＳ２０４でプリンタドライバ３２によりカラーインクジェットプリンタ３８が適合しないと判定されると、ドライバ不適合のメッセージを表示出力し（ステップＳ２０８）、起動している宛名印刷用プログラム２２を終了する処理を実行して（ステップＳ２２４）、宛名印刷処理を終了する。ドライバ不適合の際にクライアントコンピュータ３０に表示されるメッセージ画面７０の一例を図１０に示す。
【００２９】
図９の宛名印刷画面５０を用いてユーザが［ハガキ］ボタン６４を押すと、クライアントコンピュータ３０が実行している宛名印刷用プログラム２２では郵便書式のダウンロード処理を実行し（図３のステップＳ２１４）、この処理に伴って宛名印刷管理サーバ２０は郵便書式の選択入力に基づく郵便書式用画像のダウンロード処理を行なう（図２のステップＳ１１０）。これらの処理は、まず、［ハガキ］ボタン６４の押下により宛名印刷管理サーバ２０が記憶している郵便書式用画像２３の種類を一覧して表示する図１１に例示するハガキ選択画面７２をクライアントコンピュータ３０に表示出力し、次に、このハガキ選択画面７２を用いてユーザが所望の郵便書式としてのハガキの種類を選択して［次へ］ボタンを押すと、宛名印刷管理サーバ２０が選択されたハガキの種類の郵便書式用画像２３をクライアントコンピュータ３０に向けて出力することによってダウンロードし、そして、クライアントコンピュータ３０がこのダウンロードした郵便書式用画像２３を宛名印刷画面５０のレイアウト表示部５４に選択されているカードの宛名と共に表示する処理となる。したがって、宛名印刷管理サーバ２０が行なう処理は、［ハガキ］ボタン６４の押下に伴ってハガキ選択画面７２をクライアントコンピュータ３０に表示出力する処理と、郵便書式の選択入力に伴って選択された郵便書式用画像２３をクライアントコンピュータ３０に向けてダウンロード可能に出力する処理となる。クライアントコンピュータ３０で実行されている宛名印刷用プログラム２２により実行される処理は、［ハガキ］ボタン６４が押下された信号を宛名印刷管理サーバ２０に出力する処理と、ハガキ選択画面７２を表示する処理と、ハガキ選択画面７２を用いて選択された郵便書式の選択信号を宛名印刷管理サーバ２０に出力する処理と、宛名印刷管理サーバ２０から出力された郵便書式用画像２３をダウンロードする処理と、ダウンロードした郵便書式用画像２３を宛名印刷画面５０のレイアウト表示部５４に表示する処理となる。なお、郵便書式用画像２３をダウンロードしているときにクライアントコンピュータ３０で表示されるハガキ画像ダウンロード画面７４の一例を図１２に示す。
【００３０】
図９の宛名印刷画面５０を用いてユーザが［フォント］ボタン６３を押すと、クライアントコンピュータ３０が実行している宛名印刷用プログラム２２は文字フォントのダウンロード処理を実行し（図３のステップＳ２１６）、この処理に伴って宛名印刷管理サーバ２０は文字フォントの選択入力に基づく文字フォントのダウンロード処理を行なう（図２のステップＳ１１２）。これらの処理は、まず、［フォント］ボタン６３の押下により宛名印刷管理サーバ２０が記憶している文字フォント２４の種類を一覧して表示する図１３に例示するフォント選択画面７６をクライアントコンピュータ３０に表示出力し、次に、このフォント選択画面７６を用いてユーザが所望の文字フォントを選択して［次へ］ボタンを押すと、宛名印刷管理サーバ２０が選択された文字フォント２４をクライアントコンピュータ３０に向けて出力することによってダウンロードし、そして、クライアントコンピュータ３０がこのダウンロードした文字フォント２４を用いて選択されているカードの宛名を郵便書式用画像２３と共に宛名印刷画面５０のレイアウト表示部５４に表示する処理となる。したがって、宛名印刷管理サーバ２０が行なう処理は、［フォント］ボタン６３の押下に伴ってフォント選択画面７６をクライアントコンピュータ３０に表示出力する処理と、文字フォントの選択入力に伴って選択された文字フォント２４をクライアントコンピュータ３０に向けてダウンロード可能に出力する処理となる。クライアントコンピュータ３０で実行されている宛名印刷用プログラム２２により実行される処理は、［フォント］ボタン６３が押下された信号を宛名印刷管理サーバ２０に出力する処理と、フォント選択画面７６を表示する処理と、フォント選択画面７６を用いて選択された文字フォントの選択信号を宛名印刷管理サーバ２０に出力する処理と、宛名印刷管理サーバ２０から出力された文字フォント２４をダウンロードする処理と、ダウンロードした文字フォント２４を用いて選択されているカードの宛名を宛名印刷画面５０のレイアウト表示部５４に表示する処理となる。なお、文字フォント２４をダウンロードしているときにクライアントコンピュータ３０で表示されるフォントダウンロード画面７８の一例を図１４に示す。
【００３１】
図９の宛名印刷画面５０を用いてユーザが［印刷］ボタン６２を押すと、クライアントコンピュータ３０が実行している宛名印刷用プログラム２２と宛名印刷管理サーバ２０とによる課金印刷処理（図２のステップＳ１１４と図３のステップＳ２１８）を実行する。この課金印刷処理は、まず、［印刷］ボタン６２の押下に基づいてクライアントコンピュータ３０が実行している宛名印刷用プログラム２２が図１５に例示する印刷範囲設定画面８０を表示して印刷範囲と切手印字の印刷の有無を入力する処理を実行する（ステップＳ２２０）。次に、印刷範囲と切手印字の印刷の有無との入力に基づいて計算される郵便切手代金と印刷に用いる文字フォントの使用料とからなる「お支払金額」の精算方法が含まれる図１６に例示する郵便切手代金精算画面８２を表示して精算方法の入力処理を行なう（ステップＳ２２２）。精算方法が入力されると、郵便書式における切手印字の種類と印刷範囲に基づいて計算される切手印字の印刷数と文字フォント使用料とお支払金額と精算方法とを宛名印刷管理サーバ２０に出力する。宛名印刷管理サーバ２０は、切手印字の種類および印刷数と文字フォント使用料と精算方法とに基づいて郵便切手代金と文字フォント使用料の課金処理を行ない（図２のステップＳ１１６）、この課金処理を終了した後に印刷許可指示をクライアントコンピュータ３０に出力する（ステップＳ１１８）。そして、この印刷許可指示を入力したクライアントコンピュータ３０の宛名印刷用プログラム２２は、図１７に例示する宛名印刷確認画面８４を表示して宛名印刷の確認をしてカラーインクジェットプリンタ３８にセットされた用紙に切手印字を含むハガキの画像と共に宛名を入力された印刷範囲分だけ印刷する（ステップＳ２２４）。なお、課金処理により精算された郵便切手代金は、宛名印刷管理サーバ２０の管理者から所定の郵便局に支払われる。また、切手印字の印刷には偽造防止措置が施される。この偽造防止措置としては種々の技術を用いることができる。したがって、この課金印刷処理における宛名印刷管理サーバ２０の処理は、入力された切手印字の種類および印刷数と郵便切手代金の精算方法に基づく課金処理と、印刷許可指示を出力する処理となる。クライアントコンピュータ３０で実行されている宛名印刷用プログラム２２により実行される処理は、［印刷］ボタン６２の押下に基づいて印刷範囲と切手印字の印刷の有無の入力処理と、「お支払金額」の精算方法の入力処理と、切手印字の種類および印刷数と文字フォント使用料と精算方法とを出力する処理、入力した印刷許可指示に基づいて偽造防止措置を施して切手印字を含むハガキ画像と宛名を印刷範囲分だけ印刷する処理となる。
【００３２】
図９の宛名印刷画面５０を用いてユーザが［終了］ボタン６８を押すと、クライアントコンピュータ３０が実行している宛名印刷用プログラム２２は終了処理を行ない（図３のステップＳ２２６）、クライアントコンピュータ３０側から入力される終了指示に基づいてクライアントコンピュータ３０へのハガキ印刷サイトの各処理についての終了処理を行なう（図２のステップＳ１２０）。クライアントコンピュータ３０が実行している宛名印刷用プログラム２２による終了処理は、ダウンロードした郵便書式用画像２３と文字フォント２４を削除して宛名印刷用プログラム２２を終了する処理として行なわれ、宛名印刷管理サーバ２０による終了処理は、図４に例示するハガキ印刷サイトトップページ４０に戻る処理となる。
【００３３】
宛名印刷管理サーバ２０で実行される図２の宛名印刷管理処理のステップＳ１１０〜Ｓ１２０の各処理とクライアントコンピュータ３０で起動した宛名印刷用プログラム２２により実行される図３の宛名印刷処理におけるステップＳ２１０〜Ｓ２２６の各処理は、上述したように、図９に例示した宛名印刷画面５０の宛名入力部５２への入力や表示しているカードの変更，宛名印刷画面５０に表示される各ボタンの押下により対応する部分だけが実行され、フローとして実行されるものではないが、図２および図３では、説明の都合と図示のため便宜上としてフローチャートとして示した。
【００３４】
以上説明した実施例の宛名印刷システム１０によれば、入力された宛名と共に切手印字を含んでハガキ自体を印刷することができる。したがって、ハガキや切手を予め購入しておく必要がなく、所望の用紙に所望の数だけ印刷することができる。しかも、切手印字には偽造防止措置が施されており、郵便切手代金については課金処理により精算するから、印刷された印刷物に対してハガキとしての機能を担保することができる。また、実施例の宛名印刷システム１０によれば、郵便書式用画像２３から所望のハガキ画像を選択してレイアウト表示して印刷することができる。この結果、レイアウト表示と印刷物との間に生じ得る印象の相違を少なくすることができる。さらに、実施例の宛名印刷システム１０によれば、文字フォント２４から選択した所望の文字フォントを用いて宛名をレイアウト表示すると共に印刷することができる。この結果、予めクライアントコンピュータ３０に文字フォントを記憶しておく必要がない。
【００３５】
実施例の宛名印刷システム１０によれば、宛名印刷管理サーバ２０からクライアントコンピュータ３０に宛名印刷用プログラム２２をダウンロードすると共に宛名印刷用プログラム２２を自動起動して宛名印刷処理を実行するから、全ての処理を宛名印刷管理サーバ２０で行なう場合に比して宛名印刷管理サーバ２０の負荷を軽くすることができる。また、実施例の宛名印刷システム１０によれば、宛名印刷用プログラム２２をクライアントコンピュータ３０で起動する際にクライアントコンピュータ３０にインストールされているプリンタドライバをチェックしてクライアントコンピュータ３０に接続されているカラーインクジェットプリンタ３８が宛名印刷処理に適合しているかを判定し、不適合のときには宛名印刷用プログラム２２の起動を中止するから、印刷できないにも拘わらず宛名の入力やハガキ画像のダウンロードなどをすることがない。
【００３６】
実施例の宛名印刷システム１０では、図９に例示した宛名印刷画面５０におけるレイアウト表示部５４で表示するレイアウト画像は、宛名印刷管理サーバ２０からダウンロードした郵便書式用画像２３と文字フォント２４とを用いて宛名印刷用プログラム２２で処理するものとしたが、宛名印刷管理サーバ２０側で処理するものとしてもよい。この場合の処理を第２実施例の宛名印刷システム１０Ｂの処理として以下に説明する。なお、第２実施例の宛名印刷システム１０Ｂは、宛名印刷管理サーバ２０で実行される宛名印刷管理処理とクライアントコンピュータ３０で起動した宛名印刷用プログラム２２により実行される宛名印刷処理が異なるだけでハード構成については第１実施例の宛名印刷システム１０と同一の構成をしている。したがって、第２実施例の宛名印刷システム１０Ｂのハード構成については第１実施例の宛名印刷システム１０のハード構成と同一の符号を付してその説明を省略し、宛名印刷管理サーバ２０で実行される宛名印刷管理処理とクライアントコンピュータ３０で起動した宛名印刷用プログラム２２により実行される宛名印刷処理については第１実施例の宛名印刷システム１０の同様の処理と異なる点についてのみ説明する。
【００３７】
図１８は第２実施例の宛名印刷システム１０Ｂにおける宛名印刷管理サーバ２０により実行される宛名印刷管理処理の一例を示すフローチャートであり、図１９は第２実施例の宛名印刷システム１０Ｂにおけるクライアントコンピュータ３０で起動した宛名印刷用プログラム２２Ｂにより実行される宛名印刷処理の一例を示すフローチャートである。図１８の宛名印刷管理処理におけるステップＳ３００の宛名印刷用プログラムの起動処理は図２の宛名印刷管理処理におけるステップＳ１００の宛名印刷用プログラムの起動処理と同一であり、図１９の宛名印刷処理のステップＳ４００の起動時チェック処理は図３の宛名印刷処理におけるステップＳ２００の起動時チェック処理と同一である。また、図１９の宛名印刷処理におけるステップＳ４１０の宛名入力処理は図３の宛名印刷処理におけるステップＳ２１０の宛名入力処理と同一である。さらに、図１８の宛名印刷管理処理におけるステップＳ３２４の終了指示に基づく終了処理は図２の宛名印刷管理処理におけるステップＳ１２０の終了指示に基づく終了処理と同一であり、図１９の宛名印刷処理におけるステップＳ４３４の終了処理は図３の宛名印刷処理におけるステップＳ２２６の終了処理と同一である。したがって、以下の説明では、宛名印刷管理サーバ２０による宛名印刷用プログラムの起動処理とクライアントコンピュータ３０における宛名印刷用プログラムの起動時チェック処理が終了し、クライアントコンピュータ３０で図９に例示する宛名印刷画面５０が表示された状態以降についての異なる処理についてのみ説明する。
【００３８】
図９の宛名印刷画面５０を用いてユーザが入力した宛名のカードを選択するか、［ハガキ］ボタン６４を押すか、［フォント］ボタン６３を押したときには、クライアントコンピュータ３０で起動している宛名印刷用プログラム２２Ｂによりレイアウト表示処理（ステップＳ４１２）が実行されると共にこのレイアウト表示処理の実行に伴って宛名印刷管理サーバ２０によりレイアウト画像作成出力処理（ステップＳ３０２）が実行される。いま、郵便書式としてのハガキ画像と印刷に用いる文字フォントとが既に選択されているときに、ユーザがあるカードを選択したときを考える。このときには、クライアントコンピュータ３０で起動している宛名印刷用プログラム２２Ｂは、選択したカードの宛名データと既に選択されている郵便書式と文字フォントとを宛名印刷管理サーバ２０に向けて出力する（ステップＳ４２２）。宛名印刷管理サーバ２０では、このクライアントコンピュータ３０から出力された宛名データと郵便書式と文字フォントを入力し（ステップＳ３０８）、入力した宛名データを入力した文字フォントを用いて入力した郵便書式としてのハガキ画像に組み込んでレイアウト用画像を作成し（ステップＳ３１０）、この作成したレイアウト用画像をクライアントコンピュータ３０に向けて出力する（ステップＳ３１２）。こうしたレイアウト画像の出力に伴って、クライアントコンピュータ３０で起動している宛名印刷用プログラム２２Ｂは、レイアウト用画像をダウンロードしてレイアウト表示部５４に表示出力する（ステップＳ４２２）。これにより、選択したカードに入力されている宛名を選択した文字フォントを用いて選択したハガキ画像に組み込んでレイアウト表示部５４に表示することができる。なお、この場合、郵便書式としてのハガキ画像や文字フォントは既に選択されているものとしたから、図１９におけるステップＳ４１６の郵便書式の選択処理やステップＳ４１８の文字フォントの選択処理は実行されず、図１８におけるステップＳ３０４のハガキ選択画面の出力処理やステップＳ３０６のフォント選択画面の出力処理は実行されない。なお、レイアウト用画像をダウンロードしているときにクライアントコンピュータ３０に表示されるレイアウト用画像ダウンロード画面８６の一例を図２０に示す。
【００３９】
次に、既に文字フォントが選択されていると共にレイアウト表示するカードも選択されている状態で［ハガキ］ボタン６４が押されたときを考える。この場合、まず、第１実施例のときと同様に、［ハガキ］ボタン６４の押下により宛名印刷管理サーバ２０が記憶している郵便書式用画像２３の種類を一覧して表示する図１１に例示するハガキ選択画面７２をクライアントコンピュータ３０に表示出力する（ステップＳ３０４）。クライアントコンピュータ３０では、このハガキ選択画面７２を用いてユーザにより所望の郵便書式としてのハガキの種類が選択される（ステップＳ４１６）。そして、クライアントコンピュータ３０から既に選択されているカードの宛名データと選択した郵便書式と既に選択されている文字フォントとを宛名印刷管理サーバ２０に向けて出力する（ステップＳ４２２）。これ以降の宛名印刷管理サーバ２０によるレイアウト用画像の作成出力処理（ステップＳ３１０，Ｓ３１２）とクライアントコンピュータ３０の宛名印刷用プログラム２２Ｂによるレイアウト用画像のダウンロードおよび表示出力処理（ステップＳ４２２）とについては上述した。これにより、レイアウト表示部５４で所望のハガキ画像を用いたレイアウト表示を行なうことができる。なお、この場合、カードと文字フォントは既に選択されているものとしたから、図１９におけるステップＳ４１４のカードの選択処理やステップＳ４１８の文字フォントの選択処理は実行されず、図１８におけるステップＳ３０６のフォント選択画面の出力処理も実行されない。
【００４０】
既に郵便書式が選択されていると共にレイアウト表示するカードも選択されている状態で［フォント］ボタン６３が押されると、第１実施例のときと同様に、まず、［フォント］ボタン６３の押下により宛名印刷管理サーバ２０が記憶している文字フォント２４の種類を一覧して表示する図１３に例示するフォント選択画面７６をクライアントコンピュータ３０に表示出力する（ステップＳ３０６）。クライアントコンピュータ３０では、このフォント選択画面７６を用いてユーザにより所望の文字フォントが選択される（ステップＳ４１８）。そして、クライアントコンピュータ３０から既に選択されているカードの宛名データと郵便書式と選択した文字フォントとを宛名印刷管理サーバ２０に向けて出力する（ステップＳ４２２）。これ以降の処理は同様である。これにより、レイアウト表示部５４で所望の文字フォントを用いたレイアウト表示を行なうことができる。なお、この場合、カードと郵便書式は既に選択されているものとしたから、図１９におけるステップＳ４１４のカードの選択処理やステップＳ４１６の郵便書式の選択処理は実行されず、図１８におけるステップＳ３０４のハガキ選択画面の出力処理も実行されない。
【００４１】
この第２実施例の宛名印刷システム１０Ｂでは、図９の宛名印刷画面５０で［印刷］ボタン６２が押されると、宛名印刷管理サーバ２０とクライアントコンピュータ３０が実行している宛名印刷用プログラム２２Ｂとによる課金印刷処理（図１８のステップＳ３１４と図３のステップＳ４２４）を実行する。この課金印刷処理は、第１実施例の宛名印刷システム１０と同様に、まず、［印刷］ボタン６２の押下に基づいてクライアントコンピュータ３０が実行している宛名印刷用プログラム２２が図１５に例示する印刷範囲設定画面８０を表示して印刷範囲と切手印字の印刷の有無を入力すると共に印刷範囲と切手印字の印刷の有無との入力に基づいて計算される郵便切手代金と印刷に用いる文字フォントの使用料とからなる「お支払金額」の精算方法が含まれる図１６に例示する郵便切手代金精算画面８２を表示して精算方法の入力処理を行なう（ステップＳ４２６）。精算方法が入力されると、郵便書式における切手印字の種類と印刷範囲に基づいて計算される切手印字の印刷数と文字フォント使用料とお支払金額と精算方法とからなる課金データを宛名印刷管理サーバ２０に出力する（ステップＳ４２８）。課金データを入力した宛名印刷管理サーバ２０は、課金データに基づいて郵便切手代金と文字フォント使用料の課金処理を行ない（図１８のステップＳ３１６）、この課金処理を終了した後に宛名と郵便書式と文字フォントからなる印刷用データの出力指示をクライアントコンピュータ３０に出力する（ステップＳ３１８）。この印刷用データの出力指示を入力したクライアントコンピュータ３０は、印刷範囲として入力したカードの宛名データと選択した郵便書式と選択した文字フォントとを印刷用データとして宛名印刷管理サーバ２０に出力する（図１９のステップＳ４３０）。宛名印刷管理サーバ２０では、このクライアントコンピュータ３０から出力された印刷用データを入力すると共に入力した印刷用データに基づいて各宛名データに対して選択された郵便書式と文字フォントとを用いて切手印字を含む印刷用画像を作成する（ステップＳ３１８）。そして、作成した印刷用画像をクライアントコンピュータ３０に出力する（ステップＳ３２２）。クライアントコンピュータ３０では、印刷用画像を入力してカラーインクジェットプリンタ３８にセットされた用紙に印刷する（ステップＳ４３２）。なお、課金処理により精算された郵便切手代金は宛名印刷管理サーバ２０の管理者から所定の郵便局に支払われることと切手印字の印刷には偽造防止措置が施されていることについては第１実施例と同様である。
【００４２】
以上説明した第２実施例の宛名印刷システム１０Ｂによれば、第１実施例の宛名印刷システム１０と同様に、入力された宛名と共に切手印字を含んでハガキ自体を印刷することができる。したがって、ハガキや切手を予め購入しておく必要がなく、所望の用紙に所望の数だけ印刷することができる。しかも、切手印字には偽造防止措置が施されており、郵便切手代金については課金処理により精算するから、印刷された印刷物に対してハガキとしての機能を担保することができる。また、第２実施例の宛名印刷システム１０Ｂによれば、郵便書式用画像２３から所望のハガキ画像を選択してレイアウト表示して印刷することができる。この結果、レイアウト表示と印刷物との間に生じ得る印象の相違を少なくすることができる。しかも、クライアントコンピュータ３０側に表示するレイアウト用画像や印刷用画像は宛名印刷管理サーバ２０で作成するから、クライアントコンピュータ３０に郵便書式用画像２３や文字フォント２４をダウンロードする必要がない。
【００４３】
また、第２実施例の宛名印刷システム１０Ｂによれば、第１実施例の宛名印刷システム１０と同様に、宛名印刷管理サーバ２０からクライアントコンピュータ３０に宛名印刷用プログラム２２Ｂをダウンロードすると共に宛名印刷用プログラム２２Ｂを自動起動して宛名印刷処理を実行するから、全ての処理を宛名印刷管理サーバ２０で行なう場合に比して宛名印刷管理サーバ２０の負荷を軽くすることができる。また、第２実施例の宛名印刷システム１０Ｂによれば、宛名印刷用プログラム２２Ｂをクライアントコンピュータ３０で起動する際にクライアントコンピュータ３０にインストールされているプリンタドライバをチェックしてクライアントコンピュータ３０に接続されているカラーインクジェットプリンタ３８が宛名印刷処理に適合しているかを判定し、不適合のときには宛名印刷用プログラム２２の起動を中止するから、印刷できないにも拘わらず宛名の入力やハガキ画像のダウンロードなどをすることがない。
【００４４】
第１実施例の宛名印刷システム１０や第２実施例の宛名印刷システム１０Ｂでは、宛名印刷用プログラム２２，２２Ｂをクライアントコンピュータ３０で起動する際にクライアントコンピュータ３０にインストールされているプリンタドライバをチェックしてクライアントコンピュータ３０に接続されているカラーインクジェットプリンタ３８が宛名印刷処理に適合しているかを判定し、適合しないときには宛名印刷用プログラム２２，２２Ｂの起動を中止するものとしたが、宛名印刷用プログラム２２，２２Ｂは起動するが印刷はできないものとしてもよいし、宛名印刷用プログラム２２，２２Ｂの起動の際にこうしたプリンタドライバのチェックを行なわないものとしても差し支えない。
【００４５】
また、第１実施例の宛名印刷システム１０や第２実施例の宛名印刷システム１０Ｂでは、宛名印刷管理サーバ２０が記憶している文字フォント２４を選択して使用するものとしたが、クライアントコンピュータ３０に記憶されている文字フォントから選択して使用するものとしてもよい。
【００４６】
さらに、第１実施例の宛名印刷システム１０や第２実施例の宛名印刷システム１０Ｂでは、宛名印刷管理サーバ２０が記憶している文字フォント２４の選択使用に対して課金するものとしたが、文字フォント２４の選択使用に対しては課金しないものとしてもよい。
【００４７】
第１実施例の宛名印刷システム１０や第２実施例の宛名印刷システム１０Ｂでは、切手印字の印刷を含む郵便書式の印刷と宛名の印刷とを同時に行なうものとしたが、宛名の印刷だけを行ない切手印字の印刷を含む郵便書式の印刷は行なわないものとしても差し支えない。
【００４８】
第１実施例の宛名印刷システム１０や第２実施例の宛名印刷システム１０Ｂでは、クライアントコンピュータ３０はインターネット１２を介して宛名印刷管理サーバ２０と接続するものとしたが、インターネット１２に限られず、如何なる通信ネットワークであってもよい。
【００４９】
実施例では、本発明の実施の形態の一つとして宛名印刷システムとしての宛名印刷管理サーバとこの宛名印刷管理サーバからダウンロードされクライアントコンピュータで起動する宛名印刷用プログラムの処理として説明したが、実施例の宛名印刷管理サーバ２０にだけに着目した形態としてもよいし、コンピュータを実施例の宛名印刷管理サーバ２０として機能させるプログラムの形態に適用するものとしてもよい。このプログラムの形態とする場合、上述の宛名印刷管理処理の各処理を適当な言語によりプログラミングすればよい。
【００５０】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】本発明の一実施例である宛名印刷管理サーバ２０を備える宛名印刷システム１０の構成の概略を示す構成図である。
【図２】ハガキ印刷サイトとして機能する宛名印刷管理サーバ２０により実行される宛名印刷管理処理の一例を示すフローチャートである。
【図３】ハガキ印刷サイトによりハガキに宛名を印刷する際にクライアントコンピュータ３０により実行される宛名印刷処理の一例を示すフローチャートである。
【図４】ハガキ印刷サイトトップページ４０の一例を示す説明図である。
【図５】プログラムチェック画面４２の一例を示す説明図である。
【図６】プログラムダウンロード画面４４の一例を示す説明図である。
【図７】宛名印刷用プログラム２２がクライアントコンピュータ３０にダウンロードされたあとの状態における宛名印刷システム１０の構成の一例を示す構成図である。
【図８】ドライバチェック画面４６の一例を示す説明図である。
【図９】宛名印刷画面５０の一例を示す説明図である。
【図１０】メッセージ画面７０の一例を示す説明図である。
【図１１】ハガキ選択画面７２の一例を示す説明図である。
【図１２】ハガキ画像ダウンロード画面７４の一例を示す説明図である。
【図１３】フォント選択画面７６の一例を示す説明図である。
【図１４】フォントダウンロード画面７８の一例を示す説明図である。
【図１５】印刷範囲設定画面８０の一例を示す説明図である。
【図１６】郵便切手代金精算画面８２の一例を示す説明図である。
【図１７】印刷確認画面８４の一例を示す説明図である。
【図１８】第２実施例の宛名印刷システム１０Ｂにおける宛名印刷管理サーバ２０により実行される宛名印刷管理処理の一例を示すフローチャートである。
【図１９】第２実施例の宛名印刷システム１０Ｂにおけるクライアントコンピュータ３０で起動した宛名印刷用プログラム２２Ｂにより実行される宛名印刷処理の一例を示すフローチャートである。
【図２０】レイアウト用画像ダウンロード画面８６の一例を示す説明図である。
【符号の説明】
１０  宛名印刷システム、１２  インターネット、２０，２０Ｂ  宛名印刷管理サーバ、２１  宛名印刷管理プログラム、２２，２２Ｂ  宛名印刷用プログラム、２３  郵便書式用画像、２４  文字フォント、２５  ユーザ管理情報、３０クライアントコンピュータ、３１  ブラウザ、３２  プリンタドライバ、３８カラーインクジェットプリンタ、４０  ハガキ印刷サイトトップページ、４２プログラムチェック画面、４４  プログラムダウンロード画面、４６  ドライバチェック画面、５０  宛名印刷画面、５２  宛名入力部、５４  レイアウト表示部、５６  ［カード表示］ボタン、５８  ［一覧表示］ボタン、６１  ［保存］ボタン、６２  ［印刷］ボタン、６３  ［フォント］ボタン、６４  ［ハガキ］ボタン、６５  ［差出人］ボタン、６６  ［ヘルプ］ボタン、６８  ［終了］ボタン、７０  メッセージ画面、７２  ハガキ選択画面、７４  ハガキ画像ダウンロード画面、７６  フォント選択画面、７８  フォントダウンロード画面、８０  印刷範囲設定画面、８２  郵便切手代金精算画面、８４  印刷確認画面、８６  レイアウト用画像ダウンロード画面。
【図１】
0004010138.tif 000002
【図２】
0004010138.tif 000003
【図３】
0004010138.tif 000004
【図４】
0004010138.tif 000005
【図５】
0004010138.tif 000006
【図６】
0004010138.tif 000007
【図７】
0004010138.tif 000008
【図８】
0004010138.tif 000009
【図９】
0004010138.tif 000010
【図１０】
0004010138.tif 000011
【図１１】
0004010138.tif 000012
【図１２】
0004010138.tif 000013
【図１３】
0004010138.tif 000014
【図１４】
0004010138.tif 000015
【図１５】
0004010138.tif 000016
【図１６】
0004010138.tif 000017
【図１７】
0004010138.tif 000018
【図１８】
0004010138.tif 000019
【図１９】
0004010138.tif 000020
【図２０】
0004010138.tif 000021